【手続補正書】
【提出日】平成19年11月8日(2007.11.8)
【手続補正１】
【補正対象書類名】明細書
【補正対象項目名】発明の名称
【補正方法】変更
【補正の内容】
【発明の名称】広告方法、ＷＷＷサーバー
【手続補正２】
【補正対象書類名】明細書
【補正対象項目名】特許請求の範囲
【補正方法】変更
【補正の内容】
【特許請求の範囲】
【請求項１】  通信回線を介して利用者端末から閲覧可能なＷＷＷページにて広告用メッセージをＷＷＷサーバーにおいて閲覧可能とする広告方法において、
ＷＷＷページに表示するゲーム画面が有する複数の区画にそれぞれ対応するイベントと、広告用メッセージとを関連付けて記憶するデータベースから、前記ゲームの進行に伴って指定された区画に対応付けられたイベントに関連付けられた広告用メッセージを検索して、前記ＷＷＷページにて閲覧可能とする工程を含む広告方法。
【請求項２】  請求項１に記載の広告方法において、
前記データベースは、前記広告用メッセージにキーワードが関連付けられた広告用データベースを有し、
前記広告用メッセージを閲覧可能とする工程は、
前記広告用データベースのキーワードに基づいて、前記発生したイベントに関連付けられた広告用メッセージを検索することを特徴とする広告方法。
【請求項３】  請求項１又は２に記載の広告方法において、
前記データベースは、前記イベントにキーワードが関連付けられたイベントデータベースを有し、
前記広告用メッセージを閲覧可能とする工程は、
前記イベントデータベースのキーワードに基づいて、前記発生したイベントに関連付けられた広告用メッセージを検索することを特徴とする広告方法。
【請求項４】  通信回線を介して利用者端末から閲覧可能なＷＷＷページにて広告用メッセージを閲覧可能としたＷＷＷサーバーにおいて、
ＷＷＷページに表示するゲーム画面が有する複数の区画にそれぞれ対応するイベントと、広告用メッセージとを関連付けて記憶するデータベースと、
前記ゲームの進行に伴って指定された区画に対応付けられたイベントに関連付けられた広告用メッセージを前記広告用データベースから検索して、前記ＷＷＷページにて閲覧可能とする手段と、
を含むＷＷＷサーバー。
【請求項５】  請求項４に記載のＷＷＷサーバーにおいて、
前記データベースは、
前記広告用メッセージにキーワードが関連付けられた広告用データベースを有し、
前記広告用メッセージを閲覧可能とする手段は、
前記広告用データベースのキーワードに基づいて、前記発生したイベントに関連付けられた広告用メッセージを検索することを特徴とするＷＷＷサーバー。
【請求項６】  請求項４又は５に記載のＷＷＷサーバーにおいて、
前記データベースは、
前記イベントにキーワードが関連付けられたイベントデータベースを有し、
前記広告用メッセージを閲覧可能とする手段は、
前記イベントデータベースのキーワードに基づいて、前記発生したイベントに関連付けられた広告用メッセージを検索することを特徴とするＷＷＷサーバー。
【手続補正３】
【補正対象書類名】明細書
【補正対象項目名】０００１
【補正方法】変更
【補正の内容】
【０００１】
【発明の属する技術分野】
本発明は、通信回線を介して利用者端末から閲覧可能なＷＷＷページにて広告用メッセージを閲覧可能とした広告方法、及び通信回線を介して利用者端末から閲覧可能なＷＷＷページにて広告用メッセージを閲覧可能としたＷＷＷサーバーに関する。
【手続補正４】
【補正対象書類名】明細書
【補正対象項目名】０００５
【補正方法】変更
【補正の内容】
【０００５】
【課題を解決するための手段】
上記の目的を達成するため第１の発明は、通信回線を介して利用者端末から閲覧可能なＷＷＷページにて広告用メッセージをＷＷＷサーバーにおいて閲覧可能とする広告方法において、
ＷＷＷページに表示するゲーム画面が有する複数の区画にそれぞれ対応するイベントと、広告用メッセージとを関連付けて記憶するデータベースから、前記ゲームの進行に伴って指定された区画に対応付けられたイベントに関連付けられた広告用メッセージを検索して、前記ＷＷＷページにて閲覧可能とする工程を含む広告方法である。
【手続補正５】
【補正対象書類名】明細書
【補正対象項目名】０００６
【補正方法】変更
【補正の内容】
【０００６】
前記目的を達成するための第２の発明は、第１の発明に係る広告方法において、前記データベースは、前記広告用メッセージにキーワードが関連付けられた広告用データベースを有し、前記広告用メッセージを閲覧可能とする工程は、前記広告用データベースのキーワードに基づいて、前記発生したイベントに関連付けられた広告用メッセージを検索することを特徴とする広告方法である。
【手続補正６】
【補正対象書類名】明細書
【補正対象項目名】０００７
【補正方法】変更
【補正の内容】
【０００７】
前記目的を達成するための第３の発明は、第１又は第２の発明に係る広告方法において、前記データベースは、前記イベントにキーワードが関連付けられたイベントデータベースを有し、前記広告用メッセージを閲覧可能とする工程は、前記イベントデータベースのキーワードに基づいて、前記発生したイベントに関連付けられた広告用メッセージを検索することを特徴とする広告方法である。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
前記目的を達成するための第４の発明は、通信回線を介して利用者端末から閲覧可能なＷＷＷページにて広告用メッセージを閲覧可能としたＷＷＷサーバーにおいて、ＷＷＷページに表示するゲーム画面が有する複数の区画にそれぞれ対応するイベントと、広告用メッセージとを関連付けて記憶するデータベースと、前記ゲームの進行に伴って指定された区画に対応付けられたイベントに関連付けられた広告用メッセージを前記広告用データベースから検索して、前記ＷＷＷページにて閲覧可能とする手段と、を含むＷＷＷサーバーである。
【手続補正１０】
【補正対象書類名】明細書
【補正対象項目名】００１１
【補正方法】変更
【補正の内容】
【００１１】
前記目的を達成するための第５の発明は、第４の発明に係るＷＷＷサーバーにおいて、前記データベースは、前記広告用メッセージにキーワードが関連付けられた広告用データベースを有し、前記広告用メッセージを閲覧可能とする手段は、前記広告用データベースのキーワードに基づいて、前記発生したイベントに関連付けられた広告用メッセージを検索することを特徴とするＷＷＷサーバーである。
【手続補正１１】
【補正対象書類名】明細書
【補正対象項目名】００１２
【補正方法】変更
【補正の内容】
【００１２】
前記目的を達成するための第６の発明は、第４又は５の発明に係るＷＷＷサーバーにおいて、前記データベースは、前記イベントにキーワードが関連付けられたイベントデータベースを有し、前記広告用メッセージを閲覧可能とする手段は、前記イベントデータベースのキーワードに基づいて、前記発生したイベントに関連付けられた広告用メッセージを検索することを特徴とするＷＷＷサーバーである。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００４６
【補正方法】変更
【補正の内容】
【００４６】
【発明の効果】
本発明によれば、通信回線を介して利用者端末から閲覧可能なＷＷＷページにて広告用メッセージに閲覧者の注意を引きつけて効果的な広告を行うことが可能な広告方法を実現することができる。
【手続補正１６】
【補正対象書類名】明細書
【補正対象項目名】００４７
【補正方法】変更
【補正の内容】
【００４７】
また、複数のイベントのなかから、広告用メッセージと関連のあるイベントを選んで該広告用メッセージと関連付け、該広告用メッセージをＷＷＷページにて閲覧可能とするから、より効果的に広告用メッセージに閲覧者の注意を引きつけて広告を行うことができる。
【手続補正１７】
【補正対象書類名】明細書
【補正対象項目名】００４８
【補正方法】変更
【補正の内容】
【００４８】
また、複数のイベントのうち、広告用メッセージと関連のあるイベントを迅速に発見することができるという効果が得られる。
【手続補正１８】
【補正対象書類名】明細書
【補正対象項目名】００４９
【補正方法】変更
【補正の内容】
【００４９】
また、複数のイベントのうち、広告用メッセージと関連のあるイベントをより迅速に発見することができるという効果が得られる。
【手続補正１９】
【補正対象書類名】明細書
【補正対象項目名】００５０
【補正方法】削除
【補正の内容】
【手続補正２０】
【補正対象書類名】明細書
【補正対象項目名】００５１
【補正方法】削除
【補正の内容】
【手続補正２１】
【補正対象書類名】明細書
【補正対象項目名】００５２
【補正方法】削除
【補正の内容】
【手続補正２２】
【補正対象書類名】明細書
【補正対象項目名】００５３
【補正方法】削除
【補正の内容】